(57)【要約】【課題】  従来のように、既に記憶されている一種類のモードによる手法のみでは一種類の規格にしか対応できない。【解決手段】  プリンタの各状態に対応する消費電力値からなるデータセットを複数記憶しておき、その記憶された複数のデータセットのいずれかを選択し（Ｓ５０１〜Ｓ５０３）、選択されたデータセットとプリンタの状態とに応じて、消費電力を目標消費電力値に低下させる低消費電力モードを実行する（Ｓ５０８，Ｓ５１１）。【選択図】  図５
2006341573.tif 000002
【特許請求の範囲】
【請求項１】
低消費電力モードを有する画像形成装置であって、
前記画像形成装置の各状態に対応する消費電力値からなるデータセットを複数記憶する記憶手段と、
前記記憶手段に記憶された複数のデータセットのいずれかを選択する選択手段と、
前記画像形成装置の状態に応じて消費電力を目標消費電力値に低下させる低消費電力モードを実行する低消費電力モード制御手段と、
前記選択手段により選択されたデータセットと前記画像形成装置の状態とに応じて、前記低消費電力モード制御手段による前記目標消費電力値を設定する手段と、
を有することを特徴とする画像形成装置。
【請求項２】
前記画像形成装置の状態は、直ぐに画像形成を開始できるスタンバイ状態、低消費電力モードであるローパワー状態、更に消費電力を低下させたスリープ状態の少なくともいずれかを含むことを特徴とする請求項１に記載の画像形成装置。
【請求項３】
前記選択手段は、前記装置の操作パネルからの指示に応じて選択することを特徴とする請求項１又は２に記載の画像形成装置。
【請求項４】
前記選択手段は、前記装置に接続された外部機器からの指示に応じて選択することを特徴とする請求項１又は２に記載の画像形成装置。
【請求項５】
前記データセットは、前記装置が設置される環境、或は販売先に対応する消費電力値を含むことを特徴とする請求項１乃至４のいずれか１項に記載の画像形成装置。
【請求項６】
前記記憶手段は更に前記データセットのいずれかを選択するための選択情報を記憶し、前記選択手段は前記選択情報に応じて前記データセットを選択することを特徴とする請求項１乃至５のいずれか１項に記載の画像形成装置。
【請求項７】
前記記憶手段のデータセットを追加する追加手段を更に有することを特徴とする請求項１に記載の画像形成装置。
【請求項８】
低消費電力モードを有する画像形成装置の消費電力制御方法であって、
前記画像形成装置の各状態に対応する消費電力値からなるデータセットを複数記憶しているメモリに記憶された複数のデータセットのいずれかを選択する選択工程と、
前記画像形成装置の状態に応じて消費電力を目標消費電力値に低下させる低消費電力モードを実行する低消費電力モード制御工程と、
前記選択工程で選択されたデータセットと前記画像形成装置の状態とに応じて、前記低消費電力モード制御工程による前記目標消費電力値を設定する工程と、
を有することを特徴とする画像形成装置の消費電力制御方法。
【請求項９】
前記画像形成装置の状態は、直ぐに画像形成を開始できるスタンバイ状態、低消費電力モードであるローパワー状態、更に消費電力を低下させたスリープ状態の少なくともいずれかを含むことを特徴とする請求項８に記載の画像形成装置の消費電力制御方法。
【請求項１０】
前記選択工程では、前記装置の操作パネルからの指示に応じて選択することを特徴とする請求項８又は９に記載の画像形成装置の消費電力制御方法。
【請求項１１】
前記選択工程では、前記装置に接続された外部機器からの指示に応じて選択することを特徴とする請求項８又は９に記載の画像形成装置の消費電力制御方法。
【請求項１２】
前記データセットは、前記装置が設置される環境、或は販売先に対応する消費電力値を含むことを特徴とする請求項８乃至１１のいずれか１項に記載の画像形成装置の消費電力制御方法。
【請求項１３】
前記メモリは更に、前記データセットのいずれかを選択するための選択情報を記憶し、前記選択工程では、前記選択情報に応じて前記データセットを選択することを特徴とする請求項８乃至１２のいずれか１項に記載の画像形成装置の消費電力制御方法。
【請求項１４】
前記メモリにデータセットを追加する追加工程を更に有することを特徴とする請求項８に記載の画像形成装置の消費電力制御方法。
【発明の詳細な説明】
【技術分野】
【０００１】
本発明は、記録媒体に画像を形成する画像形成装置及びその消費電力制御方法に関するものである。
【背景技術】
【０００２】
従来、電子写真プロセスによって画像形成する画像形成装置において、画像形成の待機状態で、所定時間、プリントコマンドを受信しない場合、或は装置が長時間操作されない場合に低消費電力モードに移行して省エネを実施している。このような技術として、特許文献１に示すように、複数の低消費電力モードを有し、その内の１つの低消費電力モードを選択して低消費電力制御を行う画像形成装置がある。この低消費電力モードには、直ぐに画像の形成を開始できる待機状態（スタンバイ状態）、低消費電力モードから復帰するまでの時間待ちが必要な待機状態（スリープ状態）を複数段階有し、これらモードを選択的に利用できることが記載されている。また特許文献２に示されるように、複数の低消費電力モードの中から、ユーザが所望のモードを選択できる画像形成装置もある。
【特許文献１】特開平７−３３６４８６号公報
【特許文献２】特開２００２−３４７３０７号公報
【発明の開示】
【発明が解決しようとする課題】
【０００３】
近年、省エネへ向けた動きがより活発になってきている。画像形成装置においても、消費電力に対して、色々な国際機関や各国の機関によって複数の規格（例えば、Energy Star規格、Blue Angel規格等）が定められてきている。そのため複数の規格において、目標とする消費電力値が異なる場合が発生してきている。また同じ規格であっても、規格発行から年数が経過して省エネ技術が進化するとともに、その消費電力値をより小さくした規格に改訂していく動きもある。このように、新たな規格の登場や、既存の規格の改訂といった事情によって、絶えず、低消費電力モードでの消費電力値が変化する状況になってきている。このため従来のように、低消費電力モードを複数用意（スタンバイ、スリープ、などの多段階）しておき、それらのモードから所望のモードを選択する手法のみでは一種類の規格にしか対応できない。
【０００４】
複数の規格に対応するためには、最も小さい消費電力値を更に下回る消費電力値を設定しなければならず、複数の規格の中から最適な選択ができない。このように画像形成装置の出荷仕向け先（出荷国、納入先など）に応じた最適な低消費電力モードを提供できない。また最も小さい消費電力値を下回る電力値を設定しても、新たな規格の登場や、既存の規格の改訂によって、更に小さな消費電力値が設定された場合には対処できなくなる。
【０００５】
本発明は、上記従来技術の欠点を解決することにある。
【０００６】
また本願発明の特徴は、種々の消費電力の目標値を設定して低消費電力モードを実行できる画像形成装置及びその消費電力制御方法を提供することにある。
【課題を解決するための手段】
【０００７】
本発明の一態様に係る画像形成装置は以下のような構成を備える。即ち、
低消費電力モードを有する画像形成装置であって、
前記画像形成装置の各状態に対応する消費電力値からなるデータセットを複数記憶する記憶手段と、
前記記憶手段に記憶された複数のデータセットのいずれかを選択する選択手段と、
前記画像形成装置の状態に応じて消費電力を目標消費電力値に低下させる低消費電力モードを実行する低消費電力モード制御手段と、
前記選択手段により選択されたデータセットと前記画像形成装置の状態とに応じて、前記低消費電力モード制御手段による前記目標消費電力値を設定する手段と、
を有することを特徴とする。
【０００８】
本発明の一態様に係る画像形成装置の消費電力制御方法は以下のような工程を備える。即ち、
低消費電力モードを有する画像形成装置の消費電力制御方法であって、
前記画像形成装置の各状態に対応する消費電力値からなるデータセットを複数記憶しているメモリに記憶された複数のデータセットのいずれかを選択する選択工程と、
前記画像形成装置の状態に応じて消費電力を目標消費電力値に低下させる低消費電力モードを実行する低消費電力モード制御工程と、
前記選択工程で選択されたデータセットと前記画像形成装置の状態とに応じて、前記低消費電力モード制御工程による前記目標消費電力値を設定する工程とを有することを特徴とする。
【発明の効果】
【０００９】
本発明によれば、種々の消費電力の目標値を設定して低消費電力モードを実行できるという効果がある。
【発明を実施するための最良の形態】
【００１０】
以下、添付図面を参照して本発明の好適な実施の形態を詳しく説明する。尚、以下の実施の形態は特許請求の範囲に係る発明を限定するものでなく、また本実施の形態で説明されている特徴の組み合わせの全てが発明の解決手段に必須のものとは限らない。
【００１１】
図１は、本発明の実施の形態に係るレーザプリンタ（画像形成装置）の構成を説明するための概略断面図である。
【００１２】
プリンタ本体１は、記録シートである記録媒体を収納する上段カセット２と下段カセット５を有している。上段カセット２からの給紙の際には、上段カセット２から上段ピックアップローラ３の回転により記録シートを繰り出し、上段給紙搬送ローラ４の回転により記録シートを搬送する。また下段カセット５からの給紙の際には、下段ピックアップローラ６の回転により記録シートを繰り出し、下段給紙搬送ローラ７の回転により記録シートを搬送する。上段カセット２或は下段カセット５より搬送された記録シートは、下流の給紙センサ８により検知され、再給紙ローラ９の回転により更に搬送される。また記録シートを収納するマルチトレー１０からは、マルチピックアップ給紙ローラ１１の回転により記録シートが繰り出され、マルチ給紙搬送ローラ１２の回転により搬送される。これら上段カセット２、下段カセット５、マルチトレー１０から給紙搬送された記録シートは、更に下流のレジセンサ１３により検知され、レジストローラ対１４に所定のループ量を作成して（斜行防止）搬送を停止する。そして画像形成タイミング（VSYNC信号）と同期をとって、レジストローラ対１４により記録シートの搬送が再開される。
【００１３】
レジストローラ対１４の下流にはレーザスキャナ部３０からのレーザ光に基づいて感光ドラム（感光体）１５上にトナー像を形成する着脱可能なプロセスカートリッジ３５が設けられている。この感光ドラム１５上に形成されたトナー像は、転写ユニット４０によって記録シートに転写される。更に、この感光ドラム１５の下流には、記録シート上に形成されたトナー像を加熱加圧定着する定着器２８が設けられている。そして、この定着器２８の下流には、記録シートの搬送状態を検知する定着排紙センサ１８及び記録シートを排紙部へ搬送する定着排紙ローラ１７が設けられている。こうして記録シートは更に、排紙ローラ２０の回転により排紙積載トレイ２１に排紙される。
【００１４】
両面印刷の場合は、両面フラッパ１９により、定着後の記録シートを反転機構部分へ導く。反転機構へ導かれた記録シートは反転センサ２２により検知され、反転ローラ２３の回転により装置本体の下方向に引き込みがなされる。この引き込みが終了すると、反転ローラ２３の回転方向を逆にすることで記録シートの搬送方向を反転させ、両面搬送部へ導く。こうして両面搬送部へ導かれた記録シートは、切り欠けローラ２５の回転により搬送され、切り欠けローラ２５の切り欠け部分が記録シートと接する位置で搬送を停止し、記録シートが自由になったところで横レジスト調整板２４で記録シートの斜行を補正する。その後、切り欠けローラ２５を回転させて記録シートの搬送を再開する。この記録シートの搬送は下流の両面ローラ２６に引き継がれ、両面センサ２７で記録シートの搬送位置を確認する。そして、再給紙ローラ９の回転により再び搬送路に送られて搬送され、最初の１面と同様のプロセスで２面目への画像形成を行う。
【００１５】
レーザスキャナ部３０は、ビデオコントローラ４２から送出される画像信号に基づいて変調されたレーザ光を発光するレーザユニット３１、このレーザユニット３１からのレーザ光を感光ドラム１５上に走査させるためのスキャナモータユニット３２、結像レンズ群３３、折り返しミラー３４を有している。スキャナモータユニット３２は、スキャナモータ３２ａ及びポリゴンミラー３２ｂを具備している。またプロセスカートリッジ３５は，電子写真プロセスに必要な感光ドラム１５、前露光ランプ３６、帯電器３７、現像ユニット３８、転写ユニット４０，クリーナ３９を有している。また定着器２８は、熱ローラ方式の定着装置であり、加熱ローラ及び加圧ローラからなる加熱加圧回転体１６、加熱ローラ内部に設けられたハロゲンヒータであるヒータ２９を備えている。この加熱ローラの表面に温度検知素子（不図示）を当接し、その温度検知結果に基づいてヒータ２９をオン／オフしてローラの表面温度を一定に制御している。
【００１６】
プリンタ制御部４１は、このプリンタ本体１を制御する部分で，ビデオコントローラ４２及びエンジン制御部４３を有している。ビデオコントローラ４２は、プログラム内蔵マイクロコンピュータ（ＣＰＵ）４２ａ、タイマ４２ｂ、書換え可能な不揮発メモリ４２ｃなどを有している。またエンジン制御部４３は、プログラム内蔵マイクロコンピュータ（ＣＰＵ）４３ａ、タイマ４３ｂ、書換え可能な不揮発メモリ４３ｃを有している。更にプリンタ制御部４１は、インターフェース４５を介して外部装置４４（ホストＰＣなど）と通信可能な状態で接続されている。更に、冷却を行う冷却ファン（５０：図２）を有している。またプリンタ本体１には、ユーザに情報を通知したりユーザが選択設定を操作したりするための表示操作パネル５１も設けられている。
【００１７】
図２は、本発明の実施の形態に係るレーザプリンタの機能構成を示すブロック図である。
【００１８】
上述したようにプリンタ制御部４１は、ビデオコントローラ４２とエンジン制御部４３を有している。ビデオコントローラ４２は、ホストコンピュータなどの外部機器４４からインターフェース４５を介して送られてくる画像データをプリントに必要なビットデータに展開する。ビデオコントローラ４２は、シリアルＩ／Ｆによってエンジン制御部４３に対して、画像データ毎に印刷条件（給紙口、排紙口など）を指定する。またビデオコントローラ４２は、画像データからビットデータへの展開が終了すると、エンジン制御部４３に対して印刷開始を指示する。エンジン制御部４３は、ビデオコントローラ４２から受信した印刷条件に従って印刷を制御する。エンジン制御部４３は、感光ドラム１５を回転させ、給紙ローラや搬送ローラやリフタなどの用紙搬送機構４６を制御し、印刷条件で設定された給紙口より記録シートを給紙する。また高電圧ユニット４９により帯電器３７に帯電高圧を印加して感光ドラム１５の表面を一様に帯電させ、現像ユニット３８に現像高圧を印加させる。そしてビデオコントローラ４２から受信した印刷指示に従って、垂直同期要求信号（ＶＳＲＥＱ信号）を出力し、ビデオコントローラ４２より垂直同期信号（ＶＳＹＮＣ信号）が来るのを待つ。この垂直同期信号（ＶＳＹＮＣ信号）とともに、エンジン制御部４３は、１ライン毎に水平同期信号（ＨＳＹＮＣ信号）を出しながら、ビデオコントローラ４２より供給されるビデオ信号（ＶＤＯ信号）に従ってレーザスキャナユニット３０を制御しながら画像形成を行う。そして高電圧ユニット４９によって現像ユニット３８で現像高圧を印加して、ドラム１５上に画像形成された画像を現像する。この現像された画像は、転写ユニット４０により転写用高電圧が印加されて記録シートに転写され、定着器２８によって定着された後、用紙搬送機構４６により印刷条件で設定された排紙口へ排紙される。またビデオコントローラ４２は、プリンタの状態を表示操作パネル５１に表示したり、表示操作パネル５１によってオペレータが操作した設定内容を取得できる。またエンジン制御部４３は、センサ入力部４７により、各種のセンサからの信号を読み込み、例えば搬送路上のセンサにより記録シートの有無を検知する。そしてエンジン制御部４３は、冷却ファン５０を駆動して、このプリンタの冷却を行う。
【００１９】
［実施の形態１］
図３は、本発明の実施の形態１に係るレーザプリンタにおける低消費電力の規格値の一例を示す図である。
【００２０】
一般的な画像形成装置では、低消費電力モードとして、直ちに画像形成を開始できるスタンバイ待機状態、低消費電力から復帰させるための時間待ちが必要な低消費電力待機状態（この例ではローパワー状態、スリープ状態と称す）が規定されていることが多い。本実施の形態では、図３に示したように、「規格Ａ」と「規格Ｂ」で示すように、異なる低消費電力モードでの消費電力値が規定されている。
【００２１】
図４は、本発明の実施の形態１に係るレーザプリンタにおける低消費電力値（図３）をエンジン制御部４３の不揮発メモリ４３ｃに記憶している例を示す図である。
【００２２】
ここでは図３の電力値に従って、図４に示すように消費電力値を記憶する。ここで「９９９」は規格無し、つまり制限無しを意味させている。
【００２３】
図５は、本発明の実施の形態１に係るレーザプリンタにおける低消費電力モードの制御を説明するフローチャートで、この処理を実行するプログラムはＣＰＵ４３ａに格納されており、このＣＰＵ４３ａの制御の下に実行される。ここでは、ビデオコントローラ４２の不揮発メモリ４２ｃには、このプリンタ１の仕向け先情報が記憶されており、ビデオコントローラ４２は、その仕向け先情報に応じて「規格Ａ」或は「規格Ｂ」を選択し、シリアルＩ／Ｆにより、エンジン制御部４３に対して、その選択した規格（Ａ又はＢ）を指示する。エンジン制御部４３は、その選択された「規格Ａ」或は「規格Ｂ」に従って、予め記憶されている消費電力値を読み出して、その規格値を満たす低消費電力モードの制御を行う。この際、このプリンタ１にオプションとして接続されるメモリボードやネットワークボードを含めて、その選択された消費電力値を上回らないように、定着器２８のヒータパワーを抑えたり、冷却ファン５０を半速や停止にしたり、センサ入力部４７にてフォトセンサからの信号を間欠的に検知したり、或は停止させたり、表示操作パネル５１の光量低下や消灯等を行う。これらの低消費電力制御の具体的な方法は、上述の特許文献１や特許文献２に記載されているので省略する。
【００２４】
また、この消費電力値を超えない制御では、例えば電力制御は、１０Ｗ刻みといった段階的な制御でもよいし、更に細かく制御してもよい。本実施の形態では、電源投入後、或は印刷終了後にスタンバイ待機状態となり、待機状態が１５分経過したらローパワー状態へ移行し、更に、待機状態が６０分経過したらスリープ状態へ移行するものとする。
【００２５】
次に図５のフローチャートに沿って説明する。
【００２６】
まずステップＳ５０１で、ビデオコントローラ４２より指示された規格が「規格Ａ」であるか「規格Ｂ」であるかを判断し、「規格Ａ」であればステップＳ５０２に進み、「規格Ａ」の消費電力値を３種類（スタンバイ待機状態、ローパワー状態、スリープ状態）を不揮発メモリ４３ｃから読み出す。一方、「規格Ｂ」であればステップＳ５０３に進み、「規格Ｂ」の消費電力値を３種類（スタンバイ待機状態、ローパワー状態、スリープ状態）を不揮発メモリ４３ｃから読み出す。尚、ステップＳ５０１での規格の選択は、表示操作パネル５１からの入力に基づいても良く、或は制御基板に設けられたスイッチ、或はジャンパー線などに基づいたものでも良い。又或は、外部機器４４からの入力に基づくものでも良い。
【００２７】
次にステップＳ５０４で、低消費電力モードでのタイマ４３ｂによる計時をスタートする。次にステップＳ５０５で、そのスタンバイ待機状態の電力値を超えないように電力制御を行う。この例では、規格無しの場合の設定値を「９９９」としているので、この時には特に上限無しで電力制御を行うことになる。
【００２８】
次にステップＳ５０６に進み、印刷要求があるかどうかを判断し、印刷要求がある場合は低消費電力モードを終了して、この処理を終了する。ステップＳ５０６で印刷要求がない場合はステップＳ５０７に進み、タイマ４３ｂの計時に基づいて１５分が経過したかを判断し、経過していない場合はステップＳ５０５に戻る。こうして１５分が経過するとステップＳ５０８に進み、読み出したローパワー状態の消費電力値（この例では、２４２．５Ｗ（規格Ａ）或は２１５Ｗ（規格Ｂ））を超えないように電力制御を行う。次にステップＳ５０９に進み、ステップＳ５０６と同様にして印刷要求があるかどうかを判定し、印刷要求が入力されると低消費電力モードを終了する。
【００２９】
ステップＳ５０９で印刷要求がない場合はステップＳ５１０に進み、タイマ４３ｂの計時に基づいて３０分が経過したかを判断し、ステップＳ５１０で３０分経過するまで、ステップＳ５０８のローパワー状態での電力制御を行う。こうしてステップＳ５１０で３０分が経過するとステップＳ５１１に進み、読み出したスリープ状態の消費電力値（この例では、９５Ｗ（規格Ａ）或は４３Ｗ（規格Ｂ））を超えないように電力制御を行う。次にステップＳ５１２で印刷要求があるかどうかを調べ、印刷要求がある場合は低消費電力モードを終了し、印刷要求が無ければステップＳ５１１に戻り、スリープ状態での電力制御を行う。
【００３０】
以上説明したように本実施の形態１によれば、複数の規格の低消費電力モードに対応して消費電力値を記憶しておき、その記憶している消費電力値の中から仕向け先の規格を選択して低消費電力モードを制御できる。これにより複数の規格の内、仕向け先の規格に最適な低消費電力モードを適用できるようになった。従来は、低消費電力モードを複数用意してあっても、１つの規格にしか対応していなかった。このため、エンジン制御部のプログラムを、その規格の数だけ用意しなければならなかった。或は、全ての規格を満たす最小の消費電力値に対応してプログラムを１本にすると、それぞれの規格に応じた最適な低消費電力モードを適用できなかった。
【００３１】
これに対して本実施の形態１では、複数の規格から仕向け先に応じた規格を選択できるので、１つのプログラムで、仕向け先に応じた最適な低消費電力モードを提供できるようになった。
【００３２】
尚、本実施の形態１では、ビデオコントローラ４２の不揮発メモリ４２ｃに記憶した仕向け先情報によって規格を選択しているが、表示操作パネル５１から言語切替えの設定を行った際に、その指定された言語に従って適用される規格を選択してもよい。又或は、表示操作パネル５１から、その規格そのものを指定できるようにしても良い。
【００３３】
また本実施の形態１では、仕向け先によって規格を選択する例で説明したが、プリンタに電源電圧検知手段を設け、その検知した電源電圧によってその電源電圧の地域に適用される規格を選択してもよい。
【００３４】
また外部機器４４としてのホストＰＣなどから、プリンタドライバ経由で使用地域情報や仕向け情報を通知してもらい、これらの情報に従って適用される規格を選択してもよい。
【００３５】
更に本実施の形態１では、プリンタ制御部４１のエンジン制御部４３の不揮発メモリ４３ｃに消費電力値を記憶したが、ビデオコントローラ４２の不揮発メモリ４２ｃに記憶してもよいし、ビデオコントローラ４２とエンジン制御部４３を一体化して不揮発メモリに記憶しておいても構わない。
【００３６】
また本実施の形態１では、低消費電力モードの状態を３種類（スタンバイ待機状態、ローパワー状態、スリープ状態）としているが、更に多くの状態を持たせてもよい。また、１５分でローパワー状態へ移行し、３０分でスリープ状態へ移行という簡単な例にしているが、更に複雑な移行条件にしてもよい。
【００３７】
［実施の形態２］
次に本発明の実施の形態２について説明する。尚、この実施の形態２に係るレーザプリンタ１の構成及び図３に示す消費電力値は、前述の実施の形態１と同様であるため、ここではその説明を省略する。
【００３８】
図６（Ａ）（Ｂ）は、本発明の実施の形態２に係るレーザプリンタにおける低消費電力値の一例を示す図で、各設定値は図４の場合と同じにしている。ここで「９９９」は規格無し、つまり制限無しを表している。そして、これらの値がエンジン制御部４３の不揮発メモリ４３ｃに記憶されている。前述の実施の形態１と、この実施の形態２との相違点は、選択すべき規格が「規格Ａ」か「規格Ｂ」のいずれであるか記憶している点にある。図６（Ａ）は、「規格Ａ」を選択する例を示し、図６（Ｂ）は「規格Ｂ」を選択する例を示している。このように仕向け先の規格に応じて、予め工場出荷時に図６（Ａ）或は図６（Ｂ）のどちらかを記憶させておく。
【００３９】
この実施の形態２に係るレーザプリンタによる低消費電力モードの制御処理は前述の図５のフローチャートと同じであるが、ステップＳ５０１での処理が少し異なる。
【００４０】
本実施の形態２では、工場出荷時に仕向け先に応じて選択すべき規格がどちらか不揮発メモリ４２ｃに記憶されている。そこで、図５のステップＳ５０１では、「選択すべき規格」の指示内容に従って「規格Ａ」か「規格Ｂ」かを判断し、「規格Ａ」であればステップＳ５０２にて「規格Ａ」の消費電力値を３種類（スタンバイ待機状態、ローパワー状態、スリープ状態）を読み出し、「規格Ｂ」が指示されていればステップＳ５０３で、「規格Ｂ」の消費電力値を３種類（スタンバイ待機状態、ローパワー状態、スリープ状態）を読み出す。以下の手順は実施の形態１の説明と同様である。
【００４１】
以上説明したように本実施の形態２によれば、複数の規格の消費電力値を記憶しておくとともに、予め出荷時に仕向け先に応じた選択すべき規格がどれかを記憶しておく。選択された消費電力値を超えないように低消費電力モードを制御することによって、複数の規格のうち仕向け先の規格に最適な低消費電力モードを適用できる。
【００４２】
本実施の形態２では、工場出荷時に仕向け先情報によって規格を選択して記憶しているが、出荷後の納入先によって規格が変わる場合には、発送部門や代理店によって別の規格を選択するように記憶し直してもよい。また、プリンタに電源電圧検知手段を設け、検知した電源電圧によってその電源電圧の地域に適用される規格に記憶し直してもよい。また外部機器４４としてのホストＰＣなどから、プリンタドライバ経由で使用地域情報や仕向け情報を通知し、これらの情報に従って適用される規格を記憶し直してもよい。
【００４３】
本実施の形態２では、プリンタ制御部４１のエンジン制御部４３の不揮発メモリ４３ｃに規格値を記憶したが、ビデオコントローラ４２の不揮発メモリ４２ｃに記憶してもよいし、ビデオコントローラ４２とエンジン制御部４３を一体化して不揮発メモリに記憶しておいても構わない。
【００４４】
［実施の形態３］
次に本発明の実施の形態３について説明する。尚、この実施の形態３に係るレーザプリンタ１の構成及び図３に示す消費電力値は、前述の実施の形態１と同様であるため、ここではその説明を省略する。
【００４５】
図７は、本発明の実施の形態３に係るレーザプリンタにおける低消費電力の規格値例を示す図である。ここでは「規格Ａ」と「規格Ｂ」に対して更に「規格Ｃ」が設けられている。ここで「規格Ａ」と「規格Ｂ」は既に規定された規格とし、その規格値は前述の実施の形態１と同様とする。そして、このプリンタ１が製品開発されて生産を開始した後に、新しく「規格Ｃ」が発行された場合を想定している。又或は、プリンタ１を製品開発して生産を開始した後に、既存の「規格Ａ」が改訂されて「規格Ｃ」として発行された場合を想定している。
【００４６】
図８（Ａ）〜（Ｃ）は、本発明の実施の形態３に係るプリンタ１における消費電力値の一例を示す図である。ここでは図７に示す規格に従って、図８（Ａ）〜（Ｃ）のように、各規格に対応して消費電力値を記憶する。即ち、図８（Ａ）は「規格Ａ」に、図８（Ｂ）は「規格Ｂ」に、そして図８（Ｃ）は「規格Ｃ」にそれぞれ対応している。ここで「９９９」は規格無し、つまり制限無しを意味している。
【００４７】
ここで生産開始時には、「規格Ａ」と「規格Ｂ」とが存在するため、仕向け先に応じて仕向け先が「規格Ａ」であれば図８（Ａ）に示すように「規格Ａ」の内容で記憶し、仕向け先が「規格Ｂ」であれば図８（Ｂ）に示すように「規格Ｂ」の内容で記憶して工場より出荷する。また生産が開始された後、新たな「規格Ｃ」が発行された場合には、その「規格Ｃ」の仕向け先には図８（Ｃ）に示すような「規格Ｃ」の内容で記憶して出荷すればよい。この不揮発メモリ４３ｃの記憶内容を変更するだけで、エンジン制御部４３の制御を変更してファームウェアのバージョンアップを行うといった従来の手法をとらなくてよくなる。
【００４８】
図９は、本発明の実施の形態３に係るレーザプリンタにおける低消費電力モードでの制御を示すフローチャートである。このフローチャートは、前述の図５のステップＳ５０１，Ｓ５０２がステップＳ９０１に変更した点のみが異なるだけで、他のステップは図５と同じであるため、同じステップ記号で示し、それらステップの処理説明を省略する。
【００４９】
ステップＳ９０１では、不揮発メモリ４３ｃに記憶されている、３種類（スタンバイ待機状態、ローパワー状態、スリープ状態）の消費電力値をを読み出す。
【００５０】
以上説明したように本実施の形態３によれば、出荷時に仕向け先に応じた消費電力値を記憶しておき、消費電力が、その読み出した消費電力値を超えないように低消費電力モードを制御することができる。これにより、複数の規格のうち仕向け先の規格に最適な低消費電力モードを適用できるようになった。また新しい規格が規定されたり、既存の規格が改訂された場合には、新しくなったり改訂された規格での消費電力値を記憶して出荷するだけで、新しい規格に沿った低消費電力モードを実現でき、新しい規格や改訂された規格に適合することが可能となる。これにより新しい規格の電力制御を行うファームウェアを作成して、ファームウェアをバージョンアップすることが必要無くなる。
【００５１】
また本実施の形態３では、工場出荷時に仕向け先情報によって規格値を記憶した例で説明したが、出荷後の納入先によって規格が変わる場合には、発送部門や代理店によって別の規格値に記憶し直してもよい。
【００５２】
また外部機器４４としてのホストＰＣ等から、プリンタドライバ経由で新しい規格値に記憶し直してもよい。本実施の形態では、プリンタ制御部４１のエンジン制御部４３の不揮発メモリ４３ｃに規格値を記憶した例であるが、もちろん、ビデオコントローラ４２の不揮発メモリ４２ｃに記憶しておいてシリアルＩ／Ｆにより、エンジン制御部４３に低消費電力モードでの消費電力値を指示する方法でもよいし、ビデオコントローラ４２とエンジン制御部４３を一体化して不揮発メモリに記憶しておいても構わない。
【００５３】
［実施の形態４］
次に本発明の実施の形態４について説明する。尚、この実施の形態４に係るレーザプリンタ１の構成及び図７に示す消費電力値は、前述の実施の形態１と同様であるため、ここではその説明を省略する。
【００５４】
図１０（Ａ）〜（Ｃ）は、本発明の実施の形態４に係るレーザプリンタ１における消費電力値を説明する図である。ここでは前述の図７の規格に従って消費電力値を不揮発メモリ４３ｃに記憶している。ここで図１０（Ａ）〜（Ｃ）のそれぞれは「規格Ａ」を選択する例、「規格Ｂ」を選択する例、「規格Ｃ」を選択する例を示している。
【００５５】
この実施の形態４では、生産開始時に「規格Ａ」と「規格Ｂ」としか存在しない。このため図１０（Ａ）及び図１０（Ｂ）において「規格Ｃ」の値は「９９９」（規格無し）に設定されている。そして生産開始後に、新しく「規格Ｃ」が規定された場合には、図１０（Ｃ）のように「規格Ｃ」に具体的な消費電力値を記憶して「規格Ｃ」を選択するよう記憶する。そして工場出荷時に、図１０（Ｃ）の記憶内容で出荷すれば「規格Ｃ」に適用可能となる。このように不揮発メモリ４３ｃの内容を変更するだけで、エンジン制御部４３の制御を変更してファームウェアのバージョンアップを行うといった従来の手法をとらなくてよくなる。
【００５６】
図１１は、本発明の実施の形態４に係るレーザプリンタ１における低消費電力モードでの制御を示すフローチャートである。この処理図５のフローチャートと比較すると、ステップＳ１１０１を追加する点が異なっており、他の処理は図５と同じであるため、同じ記号で示し、それらの説明を省略する。
【００５７】
本実施の形態４では、工場出荷時に、仕向け先に応じて選択すべき規格がどれであるかを不揮発メモリ４２ｃに記憶している。そこで図１１のステップＳ５０１ａで、選択すべき規格がどれかを示す図１０のような記憶内容に従って「規格Ａ」、「規格Ｂ」、「規格Ｃ」のいずれが指定されているかを判断する。「規格Ａ」であればステップＳ５０２に進み、「規格Ａ」の消費電力値を３種類（スタンバイ待機状態、ローパワー状態、スリープ状態）を読み出し、「規格Ｂ」であればステップＳ５０３で、「規格Ｂ」の消費電力値を３種類（スタンバイ待機状態、ローパワー状態、スリープ状態）を読み出し、更に「規格Ｃ」であればステップＳ１１０１で、「規格Ｃ」の消費電力値を３種類（スタンバイ待機状態、ローパワー状態、スリープ状態）を読み出す。そしてこれ以下の手順は、前述の実施の形態１（図５）の説明と同様である。
【００５８】
以上説明したように本実施の形態４によれば、複数の規格に対応する消費電力値を記憶しておき、予め出荷時に、仕向け先に応じた選択すべき規格がどれかを記憶しておく。これにより消費電力モードにおいて、読み出した消費電力値を超えないように消費電力を制御できる。こうして複数の規格のうち仕向け先の規格に最適な低消費電力モードを適用できる。また、新しい規格が規定されたり、既存の規格が改訂された場合には、新しくなったり改訂された規格での消費電力値を記憶し、それを選択するように記憶して出荷するだけで、新しい規格に沿った低消費電力モードを実現できる。これにより新しい規格の電力制御を行うファームウェアを作成して、ファームウェアをバージョンアップすることが必要無くなる。
【００５９】
また本実施の形態４では、工場出荷時に、仕向け先情報によって規格値と、その規格の選択情報とを記憶したが、出荷後の納入先によって規格が変わる場合には、発送部門や代理店によって別の規格値や選択に記憶し直してもよい。
【００６０】
また外部機器４４としてのホストＰＣ等から、プリンタドライバ経由で新しい規格値や選択情報を記憶し直してもよい。
【００６１】
また本実施の形態４では、プリンタ制御部４１のエンジン制御部４３の不揮発メモリ４３ｃに規格値と選択情報を記憶したが、ビデオコントローラ４２の不揮発メモリ４２ｃに記憶してもよいし、ビデオコントローラ４２とエンジン制御部４３を一体化して不揮発メモリに記憶しておいても構わない。
【００６２】
［実施の形態５］
次に本発明の実施の形態５について説明する。尚、この実施の形態３に係るレーザプリンタ１の構成は前述の実施の形態１と同様であるため、ここではその説明を省略する。
【００６３】
図１２は、本発明の実施の形態５に係るレーザプリンタにおける低消費電力の規格値例を示す図である。
【００６４】
ここでは前述の「規格Ａ」と「規格Ｂ」の他に、ユーザが低消費電力モードを有効にしている時に、ユーザの好みによって適用する「ユーザ適用１」と、ユーザが低消費電力モードを無効にしている時に、ユーザの好みによって適用する「ユーザ適用２」を更に追加した。この例では、仕向け先としてのユーザには「規格Ａ」が適用されており、低消費電力モードを有効にしている時には「規格Ａ」を規格値として低消費電力モードで制御し、低消費電力モードを無効にしている時には規格無し（上限無し）として制御する状態として出荷される。
【００６５】
低消費電力モードを有効にしている場合に「規格Ａ」よりも更に消費電力を低下させたい場合、ユーザは、その場合の消費電力値（ユーザ適用１）を操作パネル５１等から入力して記憶できる。これによりプリンタ１は、低消費電力モードを有効にしている場合には、「規格Ａ」ではなく「ユーザ適用１」の電力値を使用して低消費電力モードを制御することになる。尚、出荷時には、低消費電力モードが有効な場合は「規格Ａ」が適用されるようにして出荷されている。このため、「ユーザ適用１」は「規格Ａ」の消費電力値よりも大きくなる消費電力値を設定できないようにしている。これにより「規格Ａ」を満足して、更に消費電力を低下させるユーザ好みの低消費電力モードを機能させることが可能となる。
【００６６】
また、低消費電力モードを無効にしている時に、ある程度、消費電力を低下させる消費電力値（ユーザ適用２）を、操作パネル５１等から記憶させることができる。これによりプリンタ１は、低消費電力モードを無効にしている時には規格無し（上限無し）ではなく「ユーザ適用２」の消費電力値で制御される。この「ユーザ適用２」は、低消費電力モードが無効な場合に適用されるので、「規格Ａ」の消費電力値よりも少ない消費電力値を設定できる。
【００６７】
これにより従来は、低消費電力モードが無効な場合には、消費電力値が上限無しで制御されていたのに対し、本実施の形態５では、低消費電力モードが無効である場合にも、ユーザの好みによって、消費電力を抑えることができる。
【００６８】
本実施の形態５に係る「ユーザ適用２」では、スタンバイ状態及びローパワー状態は規格無しとして、スリープ状態のみ１５０Ｗで制御する例を示している。
【００６９】
図１３（Ａ）〜（Ｃ）は、本発明の実施の形態５に係るレーザプリンタにおける消費電力値の一例を示す図である。図における「９９９」は規格無し、つまり制限無しを表し、「ユーザ適用１」及び「ユーザ適用２」における「０」は設定無し、つまりユーザによる設定がない状態を意味している。こうして設定された内容は、エンジン制御部４３の不揮発メモリ４３ｃに記憶されるく。
【００７０】
図１３（Ａ）は、出荷時において、「規格Ａ」「規格Ｂ」が設定されており、「ユーザ適用１」「ユーザ適用２」が設定されていない状態で、「規格Ａ」を選択した場合を示している。図１３（Ｂ）は「規格Ａ」を選択したケースで、更に、ユーザが「ユーザ適用１」及び「ユーザ適用２」を設定して不揮発メモリ４３ｃに記憶した例を示している。
【００７１】
図１４は、本発明の実施の形態５に係るレーザプリンタ１における低消費電力モードでの制御を説明するフローチャートである。この図１４では、ステップＳ１４０１〜ステップＳ１４０６を追加している点が、前述の図５のフローチャートと相違している。
【００７２】
まずステップＳ１４０１で、低消費電力モードが有効か、無効かを判断する。低消費電力が有効であればステップＳ１４０２に進み、「ユーザ適用１」が設定されているかどうかを判断する。「ユーザ適用１」が設定されていればステップＳ１４０３に進み、記憶されている「ユーザ適用１」の消費電力値を３種類（スタンバイ待機状態、ローパワー状態、スリープ状態）読み出す。一方ステップＳ１４０２で「ユーザ適用１」が設定されていない場合はステップＳ５０１に進み、前述の図５と同様に、選択すべき規格がどれかを示す情報に従って「規格Ａ」か「規格Ｂ」を判断し、「規格Ａ」ならばステップＳ５０２で「規格Ａ」の消費電力値を３種類（スタンバイ待機状態、ローパワー状態、スリープ状態）を読み出し、「規格Ｂ」であればステップＳ５０３で、「規格Ｂ」の消費電力値を３種類（スタンバイ待機状態、ローパワー状態、スリープ状態）を読み出してステップＳ５０４に進む。
【００７３】
一方、ステップＳ１４０１で、低消費電力モードが無効であればステップＳ１４０４に進み、「ユーザ適用２」が設定されているかどうかを判断する。「ユーザ適用２」が設定されていればステップＳ１４０５に進み、記憶されている「ユーザ適用２」の消費電力値を３種類（スタンバイ待機状態、ローパワー状態、スリープ状態）読み出す。一方ステップＳ１４０４で「ユーザ適用２」が設定されていない場合はステップＳ１４０６に進み、３種類（スタンバイ待機状態、ローパワー状態、スリープ状態）の消費電力値を規格無しを意味する「９９９」に設定してステップＳ５０４に進む。尚、ステップＳ５０４以降の処理手順は、前述の実施の形態１の説明と同様であるため、その説明を省略する。
【００７４】
以上説明したように本実施の形態５によれば、複数の規格に対応する各消費電力値と、選択すべき規格がどれかを示す選択情報を出荷時にメモリ４３ｃに記憶しておき、更に、出荷後に、ユーザがユーザ好みの消費電力値を記憶できるようにした。この結果、ユーザが低消費電力モードを有効にしている時には、適用規格を超えない範囲で、更に消費電力を低下させるユーザ好みの消費電力値で低消費電力モードで制御できる。また、ユーザが低消費電力モードを無効にしている時には、適用規格に関係なく、ある程度、消費電力を低下させるユーザ好みの消費電力値で制御できることが可能となった。
【００７５】
本実施の形態５では、操作パネル５１から「ユーザ適用１」や「ユーザ適用２」を設定して記憶するようにしているが、外部機器４４としてのホストＰＣ等から、プリンタドライバ経由で、これら「ユーザ適用値１」や「ユーザ適用値２」を設定して記憶できるようにしてもよい。
【００７６】
本実施の形態５では、プリンタ制御部４１のエンジン制御部４３の不揮発メモリ４３ｃに規格値と選択情報を記憶する場合で説明したが、ビデオコントローラ４２の不揮発メモリ４２ｃに記憶してもよいし、ビデオコントローラ４２とエンジン制御部４３を一体化して不揮発メモリに記憶しておいても構わない。
【００７７】
又ユーザの設定が「ユーザ適用１」や「ユーザ適用２」の２つの場合で説明したが、これらの設定数は、幾つでも良い。
【００７８】
なお本発明は、前述した実施の形態の機能を実現するソフトウェアのプログラムを、システム或いは装置に直接或いは遠隔から供給し、そのシステム或いは装置のコンピュータが、その供給されたプログラムコードを読み出して実行することによっても達成される場合を含む。その場合、プログラムの機能を有していれば、その形態はプログラムである必要はない。従って、本発明の機能処理をコンピュータで実現するために、該コンピュータにインストールされるプログラムコード自体も本発明を実現するものである。つまり、本発明には、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００７９】
プログラムを供給するための記憶媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。その他のプログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記憶媒体にダウンロードすることによっても供給できる。また本発明のプログラムを構成するプログラムコードを複数のファイルに分割し、それぞれのファイルを異なるホームページからダウンロードすることによっても実現可能である。つまり本発明の機能処理をコンピュータで実現するためのプログラムファイルを複数のユーザに対してダウンロードさせるＷＷＷサーバも、本発明のクレームに含まれるものである。
【００８０】
また、本発明のプログラムを暗号化してＣＤ−ＲＯＭ等の記憶媒体に格納してユーザに配布し、所定の条件を満足するユーザに対してインターネットを介してホームページから暗号化を解く鍵情報をダウンロードさせ、その鍵情報を使用することにより暗号化されたプログラムを実行してコンピュータにインストールさせて実現することも可能である。
【００８１】
またコンピュータが、読み出したプログラムを実行することによって、前述した実施形態の機能が実現される他、そのプログラムの指示に基づき、コンピュータ上で稼動しているＯＳなどが、実際の処理の一部又は全部を行ない、その処理によっても前述した実施形態の機能が実現され得る。
【００８２】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部又は全部を行ない、その処理によっても前述した実施形態の機能が実現される。
【図面の簡単な説明】
【００８３】
【図１】本発明の実施の形態に係るレーザプリンタ（画像形成装置）の構成を説明するための概略断面図である。
【図２】本発明の実施の形態に係るレーザプリンタの機能構成を示すブロック図である。
【図３】本発明の実施の形態１に係るレーザプリンタにおける低消費電力の規格値の一例を示す図である。
【図４】本発明の実施の形態１に係るレーザプリンタにおける低消費電力値（図３）をエンジン制御部の不揮発メモリに記憶している例を示す図である。
【図５】本発明の実施の形態１に係るレーザプリンタにおける低消費電力モードの制御を説明するフローチャートである。
【図６】本発明の実施の形態２に係るレーザプリンタにおける低消費電力値の一例を示す図である。
【図７】本発明の実施の形態３に係るレーザプリンタにおける低消費電力の規格値例を示す図である。
【図８】本発明の実施の形態３に係るレーザプリンタにおける消費電力値の一例を示す図である。
【図９】本発明の実施の形態３に係るレーザプリンタにおける低消費電力モードでの制御を示すフローチャートである。
【図１０】本発明の実施の形態４に係るレーザプリンタにおける消費電力値を説明する図である。
【図１１】本発明の実施の形態４に係るレーザプリンタにおける低消費電力モードでの制御を示すフローチャートである。
【図１２】本発明の実施の形態５に係るレーザプリンタにおける低消費電力の規格値例を示す図である。
【図１３】本発明の実施の形態５に係るレーザプリンタにおける消費電力値の一例を示す図である。
【図１４】本発明の実施の形態５に係るレーザプリンタにおける低消費電力モードでの制御を説明するフローチャートである。
【図１】
2006341573.tif 000003
【図２】
2006341573.tif 000004
【図３】
2006341573.tif 000005
【図４】
2006341573.tif 000006
【図５】
2006341573.tif 000007
【図６】
2006341573.tif 000008
【図７】
2006341573.tif 000009
【図８】
2006341573.tif 000010
【図９】
2006341573.tif 000011
【図１０】
2006341573.tif 000012
【図１１】
2006341573.tif 000013
【図１２】
2006341573.tif 000014
【図１３】
2006341573.tif 000015
【図１４】
2006341573.tif 000016